(57)【要約】  内部に薬液が保存される空間と、該空間と連結された吐出口と、を具備したシリンダ、及びシリンダの内側に配置され、薬液の吐出により、吐出口に向けて移動するピストンを有する薬液保存部；シリンダの外側面上の第１電極；ピストンを挟み、第１電極と対向するように、シリンダ外側面上の第２電極；並びに第１電極及び第２電極に電気的に連結された基板を具備した回路部；を含む薬液注入装置である。【選択図】図１
2019528934.tif 000002
【特許請求の範囲】
【請求項１】
内部に薬液が保存される空間と、前記空間と連結された吐出口と、を具備したシリンダ、及び前記シリンダの内側に配置され、前記薬液の吐出により、前記吐出口に向けて移動するピストンを有する薬液保存部と、
前記シリンダの外側面上の第１電極と、
前記ピストンを挟み、前記第１電極と対向するように、前記シリンダの外側面上の第２電極と、
前記第１電極及び前記第２電極に電気的に連結された基板を具備した回路部と、を含む薬液注入装置。
【請求項２】
前記第１電極と前記第２電極は、前記ピストンと接する前記薬液の液面と交差する方向に沿って延長されている、請求項１に記載の薬液注入装置。
【請求項３】
前記第１電極の一端は、前記吐出口と隣接するように配置され、他端は、前記吐出口から遠くなるように延長され、
前記第２電極の一端は、前記吐出口と隣接するように配置され、他端は、前記吐出口から遠くなるように延長されている、請求項１または２に記載の薬液注入装置。
【請求項４】
前記回路部は、前記第１電極と前記第２電極とのキャパシタンス変化を基に、前記ピストンの変位情報を算出する、請求項１または２に記載の薬液注入装置。
【請求項５】
前記回路部は、前記ピストンの変位情報を基に、前記薬液の実際注入量を算出する、請求項４に記載の薬液注入装置。
【請求項６】
前記吐出口と連結されたポンプをさらに含む、請求項１に記載の薬液注入装置。
【請求項７】
前記薬液保存部、前記回路部を収容するケースと、
前記ケース内部のインナフレームと、をさらに含む、請求項１に記載の薬液注入装置。
【請求項８】
前記ケースは、前記薬液保存部の長手方向に沿って配置された第１リブを含み、
前記インナフレームは、前記第１リブとの間で、前記薬液保存部を介在させたまま、前記ケースの前記第１リブと対向する第２リブを含む、請求項７に記載の薬液注入装置。
【請求項９】
前記薬液保存部の外側面に沿ってカーブした導電性部材をさらに含み、
前記導電性部材は、前記第１電極及び前記第２電極のうちいずれか一つ、並びに前記回路部と連結する、請求項７に記載の薬液注入装置。
【請求項１０】
前記インナフレームは、前記導電性部材の位置を規制する、請求項９に記載の薬液注入装置。
【発明の詳細な説明】
【技術分野】
【０００１】
本発明の実施形態は、薬液注入装置に関する。
【背景技術】
【０００２】
糖尿病は、膵臓から分泌されるホルモンのうち一つであるインシュリンが不足して発生する代謝異常による疾患である。糖尿病患者の積極的な治療方法のうち一つとして、インシュリンを人体内に注入する方法を使用することができる。患者の血糖変化に適してインシュリンが体内に注入されるように、インシュリン注入のための装置が使用される。
インシュリンのような薬液は、極少量注入されるものであり、注入量が多かったり少なかったりする場合、治療効果を期待し難いばかりではなく、副作用が発生してしまう。
【発明の概要】
【発明が解決しようとする課題】
【０００３】
本発明は、ユーザに提供される薬液量を精密に制御したり、薬液の漏れのような問題感知のためのセンシング構造を有する薬液注入装置を提供する。前述の課題は、例示的なものであり、それにより、本発明の範囲が限定されるものではない。
【課題を解決するための手段】
【０００４】
本発明の一実施形態は、内部に薬液が保存される空間と、前記空間と連結された吐出口と、を具備したシリンダ、及び前記シリンダの内側に配置され、前記薬液の吐出により、前記吐出口に向けて移動するピストンを有する薬液保存部、前記シリンダの外側面上の第１電極、前記ピストンを挟み、前記第１電極と対向するように、前記シリンダの外側面上の第２電極、並びに前記第１電極及び前記第２電極に電気的に連結された基板を具備した回路部、を含む薬液注入装置を開示する。
【０００５】
本実施形態において、前記第１電極と前記第２電極は、前記ピストンと接する前記薬液の液面と交差する方向に沿っても延長される。
【０００６】
本実施形態において、前記第１電極の一端は、前記吐出口と隣接するように配置され、他端は、前記吐出口から遠くなるように延長され、前記第２電極の一端は、前記吐出口と隣接するように配置され、他端は、前記吐出口から遠くなるようにも延長される。
【０００７】
本実施形態において、前記回路部は、前記第１電極と前記第２電極とのキャパシタンス変化を基に、前記ピストンの変位情報を算出することができる。
【０００８】
本実施形態において、前記回路部は、前記ピストンの変位情報を基に、前記薬液の実際注入量を算出することができる。
【０００９】
本実施形態において、前記吐出口と連結されたポンプをさらに含んでもよい。
【００１０】
本実施形態において、前記薬液保存部、前記回路部を収容するケース、及び前記ケース内部のインナフレームをさらに含んでもよい。
【００１１】
本実施形態において、前記ケースは、前記薬液保存部の長手方向に沿って配置された第１リブを含み、前記インナフレームは、前記第１リブとの間で、前記薬液保存部を介在させたまま、前記ケースの第１リブと対向する第２リブを含んでもよい。
【００１２】
本実施形態において、前記薬液保存部の外側面に沿ってカーブした導電性部材をさらに含み、前記導電性部材は、前記第１電極及び前記第２電極のうちいずれか一つ、並びに前記回路部に連結される。
【００１３】
本実施形態において、前記インナフレームは、前記導電性部材の位置を規制することができる。
【００１４】
前述以外の他の側面、特徴、利点は、以下の図面、特許請求の範囲、及び発明の詳細な説明から明確になるであろう。
【発明の効果】
【００１５】
本発明の実施形態に係わる薬液注入装置は、少なくとも２枚の電極シートを介して、ピストンの移動情報、すなわち、変位情報を正確に獲得することができ、それを介して、実際の薬液吐出量を算出することができるので、精密な薬液制御などが可能である。ここで、そのような効果により、本発明の範囲が限定されるものではないということは言うまでもない。
【図面の簡単な説明】
【００１６】
【図１】本発明の実施形態による薬液注入装置の分解斜視図である。
【図２】本発明の実施形態による薬液保存部、並びにその外側面上の第１電極及び第２電極を概略的に示した斜視図である。
【図３】図２の投影斜視図である。
【図４Ａ】薬液注入による、第１電極及び第２電極のセンシング原理を概略的に示した概念図である。
【図４Ｂ】薬液注入による、第１電極及び第２電極のセンシング原理を概略的に示した概念図である。
【図５】本発明の実施形態による薬液注入装置において、第１ケースを省略して示した斜視図である。
【図６】図５において、第２ケース、薬液保存部、インナケース及び回路部を抜粋して示した分解斜視図である。
【図７】図５のVII−VII線による断面を示す図面である。
【発明を実施するための形態】
【００１７】
本発明は、多様な変換を加えることができ、さまざまな実施形態を有することができるが、特定の実施形態を図面に例示し、詳細な説明によって詳細に説明する。本発明の効果、特徴、そしてそれらを達成する方法は、図面と共に詳細に後述されている実施形態を参照すれば、明確になるであろう。しかし、本発明は、以下で開示される実施形態に限定されるものではなく、多様な形態によって具現される。
【００１８】
以下、添付された図面を参照し、本発明の実施形態について詳細に説明するが、図面を参照して説明するとき、同一であるか、あるいは対応する構成要素は、同一の図面符号を付し、それに係わる重複説明は、省略する。
【００１９】
以下の実施形態において、単数の表現は、文脈上明白に異なって意味しない限り、複数の表現を含む。
【００２０】
以下の実施形態において、「含む」または「有する」というような用語は、明細書上に記載された特徴または構成要素が存在するということを意味するものであり、１以上の他の特徴または構成要素が付加される可能性をあらかじめ排除するものではない。
【００２１】
ある実施形態が異なって具現可能な場合、特定の工程順序は、説明される順序と異なっても遂行される。例えば、連続して説明される２つの工程が、実質的に同時に遂行されもし、説明される順序と反対の順序にも進められる。
【００２２】
図面においては、説明の便宜のために、構成要素が、その大きさが誇張されていたり縮小されていたりする。例えば、図面に示された各構成の大きさ及び厚みは、説明の便宜のために任意に示されているので、以下の実施形態は、必ずしも図示されたところに限定されるものではない。
【００２３】
図１は、本発明の実施形態による薬液注入装置の分解斜視図である。
【００２４】
図１を参照すれば、薬液注入装置は、互いに結合される上部の第１ケース１１０と、下部の第２ケース１２０と、を含んでもよい。第１ケース１１０は、薬液注入装置を患者（以下、ユーザ）の体に装着させた後にも、ユーザに露出される部分になり、一部に、開口１１１が形成されている。前記開口１１１を介して、ボタン部１３０が通過し、ボタン部１３０は、ユーザに露出される。
【００２５】
相互結合される第１ケース１１０及び第２ケース１２０の間、すなわち、ケースの内部には、ボタン部１３０、薬液保存部１４０、ポンプ１５０、針部１６０、インナフレーム１７０、電源部１８０及びコントローラである回路部１９０が位置することができる。
【００２６】
薬液保存部１４０は、内部が中空であるシリンダ１４１、及びシリンダ１４１の内側を移動するピストンを含む。シリンダ１４１の内部は、中空に薬液が保存される空間に該当し、内部に保存された薬液は、シリンダ１４１の一側に配置された吐出口１４５を介して外部に排出される。
【００２７】
該薬液は、例えば、インシュリンのような薬物を含む液体でもある。または、該薬液は、抗生物質、栄養剤、完全非経口栄養剤（ＴＰＮ：total parenteral nutrition）、鎮痛剤、モルヒネ、ホルモン（剤）、遺伝子治療剤、血液凝固防止剤、心臓血管薬物治療剤、化学療法剤またはアジドチミジン（ＡＺＴ）などが含まれる。該薬液注入装置を使用することによって治療することができる疾病の種類には、糖尿病、心血管疾患、痛症、慢性痛症、癌、エイズ（ＡＩＤＳ）、神経疾患、アルツハイマー病、ルーゲーリック病、肝炎、パーキンソン疾患または痙攣などが含まれる。しかし、本発明の実施形態は、そのような薬液及び疾病に限定されるものではない。
【００２８】
薬液保存部１４０は、吐出口１４５に連結された第１チューブＴＵ１を介して、ポンプ１５０にも連結される。ポンプ１５０は、薬液保存部１４０内の薬液を、針部１６０に向けてポンピングする。ポンプ１５０は、一定周期によって一定量の薬液をポンピングすることができる。ポンプ１５０は、電源部１８０（例：バッテリ）にも電気的に連結され、回路部１９０に電気的に連結され、回路部１９０によって動作することができる。
【００２９】
ポンプ１５０は、電気により、薬液吸入力と薬液吐出力とを有する全種のポンプが使用される。例えば、機械変位型マイクロポンプや電磁気運動型マイクロポンプのような全種のポンプが使用される。該機械変位型マイクロポンプは、流体の流れを誘導するために圧力差を起こすように、ギアやダイヤグラムのような固体あるいは流体の運動を利用するポンプであり、ダイヤフラム変位ポンプ（diaphragm displacement pump）、流体変位ポンプ（fluid displacement pump）、回転ポンプ（rotary pump）などを含んでもよい。該電磁気運動型マイクロポンプは、電気的形態または磁気的形態のエネルギーを、すぐに流体移動に利用するポンプであり、電気流体力学ポンプ（ＥＨＤ：electro hydrodynamic pump）、電気浸透式ポンプ（electro osmotic pump）、磁気流体力学ポンプ（magneto hydrodynamic pump）、電気湿式ポンプ（electro wetting pump）などを含んでもよい。
【００３０】
針部１６０は、第２チューブＴＵ２を介して、ポンプ１５０に流体的に連結される。ポンプ１５０の薬液吐出力により、薬液は、針部１６０に向けて進むことができる。針部１６０は、針１６２を支持するホルダ１６１を含み、第２ケース１２０のリブ１２５によって定義された領域にも配置される。リブ１２５によって定義された領域には、当該領域より小さい開口が形成されている。針部１６０は、針１６２が患者の皮膚内に挿入されるように、第２ケース１２０の開口を介して、外側に向けて突出される。
【００３１】
インナフレーム１７０は、第１ケース１１０及び第２ケース１２０の間に介在される。インナフレーム１７０は、第２ケース１２０と共に、薬液保存部１４０の位置を規制することができる。例えば、第２ケース１２０には、薬液保存部１４０の外側、すなわち、第１電極２１１及び第２電極２１２のうち少なくともいずれか一つと直接接触する第１リブ１２１が配置され、第２ケース１２０の第１リブ１２１と対向する位置のインナフレーム１７０には、第２リブ（図示せず）が形成され、薬液保存部１４０の位置を規制することができる。
【００３２】
インナフレーム１７０は、第１チューブＴＵ１及び第２チューブＴＵ２、ポンプ１５０、並びに針部１６０の連結構造の位置を規制することができる。例えば、インナフレーム１７０には、第１チューブＴＵ１及び第２チューブＴＵ２、ポンプ１５０、並びに針部１６０の連結構造と対応する形状のリセス（凹部）が形成され、それらを収容することができる。また、インナフレーム１７０と第２ケース１２０との間の空間には、電源部１８０、回路部１９０が配置され、その位置が規制される。
【００３３】
電源部１８０は、インナフレーム１７０と第２ケース１２０との間に介在され、薬液注入装置の構成、例えば、ポンプ１５０、回路部１９０に電源を提供する。
【００３４】
回路部１９０は、回路配線を含む基板を含む。回路部１９０は、インナフレーム１７０と第２ケース１２０との間に介在される。第２ケース１２０は、薬液保存部１４０と回路部１９０との間に介在されるリブ１２２を含み、リブ１２２により、薬液保存部１４０と回路部１９０は、相互離隔される。
【００３５】
薬液保存部１４０の外側面には、第１電極２１１及び第２電極２１２が配置される。第１電極２１１及び第２電極２１２のそれぞれは、ピストンの移動方向（または、シリンダの長手方向）に沿い、孔、ホールやスリットなどを含まずに、連続して（continuously）延長されても形成される。第１電極２１１と第２電極２１２は、薬液注入工程時、ピストン移動による、薬液保存部１４０内の薬液吐出量変化を感知することができる。薬液保存部１４０内の薬液は、ポンプ１５０の動作によって移動するピストンにより、外部に吐出され、そのとき、薬液保存部１４０の内側に保存されている薬液の量が変わる。薬液量変化は、薬液を中心に互いに対向するように配置された第１電極２１１と第２電極２１２とのキャパシタンス変化を介して感知され、当該信号は、回路部１９０に伝達され、回路部１９０は、その変化量を算出することができる。
【００３６】
以下、薬液保存部１４０、第１電極２１１及び第２電極２１２の配置、並びに第１電極２１１及び第２電極２１２のセンシング原理について説明する。
【００３７】
図２は、本発明の実施形態による薬液保存部、並びにその外側面上の第１電極及び第２電極を概略的に示した斜視図であり、図３は、図２の投影斜視図である。
【００３８】
図２及び図３を参照すれば、薬液保存部１４０は、内部が中空であるシリンダ１４１、及びシリンダ１４１の内部で移動するピストン１４２を含む。
【００３９】
シリンダ１４１は、一定断面積を有する柱状でもある。例えば、シリンダ１４１は、円柱状にも形成される。または、楕円柱状にも形成されたり、四角柱のような多角柱状のような多様な形状を有したりすることができる。本発明の非制限的な実施形態において、シリンダ１４１は、約３０〜３５ｍｍほどの長さを有することができる。シリンダ１４１は、樹脂材のような絶縁性素材によっても形成される。
【００４０】
ピストン１４２は、シリンダ１４１の長手方向に沿って、吐出口１４５に向けて移動する。ピストン１４２は、シリンダ１４１の内側面と接触した状態で移動し、ピストン１４２の移動により、内部空間に保存された薬液は、吐出口１４５を介して、シリンダ１４１外部にも排出される。ピストン１４２は、ゴム及び／またはシリコンのような素材を含んでもよい。薬液が吐出口１４５を介して、シリンダ１４１の外部に排出されれば、圧力により、ピストン１４２は、薬液が吐出された量に比例し、吐出口１４５に移動することができる。ピストン１４２が移動した距離（変位）と、シリンダ１４１の内側断面積との積は、吐出された薬液の体積に該当する。
【００４１】
第１電極２１１及び第２電極２１２は、ピストン１４２を挟んで互いに対向するように、シリンダ１４１の外側面上に配置される。例えば、第１電極２１１及び第２電極２１２は、シリンダ１４１の外側面と直接接触し、長手方向に沿って長く延長されたスリットＳにより、所定間隔ｇ離隔されて配置される。スリットＳは、レーザカッティングなどによっても形成される。例えば、後述する導電性物質を含むシートを、シリンダ１４１外側面上に直接接触させるように形成した後、レーザカッティングしてスリットＳを形成することにより、シリンダ１４１の外側面上において、相互離隔された第１電極２１１及び第２電極２１２を形成することができる。
【００４２】
第１電極２１１及び第２電極２１２は、ＩＴＯ（indium tin oxide）のような透明な導電性物質を含んでもよいが、本発明は、それに限定されるものではない。他の実施形態において、第１電極２１１及び第２電極２１２は、銅、アルミニウム、チタン、モリブデン、またはそれら合金のような金属性物質を含んでもよい。
【００４３】
第１電極２１１及び第２電極２１２の面は、ピストン１４２と接する薬液の液面ＬＳと交差する方向に沿って延長される。第１電極２１１及び第２電極２１２は、実質的に一定幅を有し、シリンダ１４１の長手方向に沿って長く延長される。例えば、第１電極２１１の一端は、吐出口１４５と隣接して配置され、他端は、吐出口１４５と遠くなるように、シリンダ１４１の長手方向に沿って延長され、同様に、第２電極２１２の一端は、吐出口１４５と隣接するように配置され、他端は、吐出口１４５と遠くなるように、シリンダ１４１の長手方向に沿って延長される。
【００４４】
本発明の実施形態による薬液注入装置は、第１電極２１１及び第２電極２１２の電極シートを利用し、薬液の吐出をセンシングするためのものであり、前述のように、シリンダ１４１の長手方向に沿って連続して延長され、一実施形態として、第１電極２１１の長さＬ１、及び第２電極２１２の長さＬ２は、シリンダ１４１の長さの０．７倍よりも長い長さを有することができる。他の実施形態として、第１電極２１１の長さＬ１、及び第２電極２１２の長さＬ２は、シリンダ１４１の長さの０．７２倍以上、０．７５倍以上、０．８倍以上、０．８２倍以上、０．８５倍以上、０．９倍以上、０．９２倍以上、０．９５倍以上または０．９８倍以上の長さを有することができる。さらに他の実施形態において、第１電極２１１の長さＬ１、及び第２電極２１２の長さＬ２は、シリンダ１４１の長さと実質的に同一である。
【００４５】
図４Ａ及び図４Ｂを参照して説明する第１電極２１１及び第２電極２１２のセンシング性能（例：分解能）のために、長手方向に垂直である第１電極２１１と第２電極２１２との幅比は、シリンダ１４１の外側周囲πｄより小さく、外側周囲の０．８５倍と同じであるか、それより大きくなってもよく、０．８８倍と同じであるか、それよりも大きくなってもよく、あるいは０．９０倍と同じである、それより大きくなってもよいが、本発明は、それらに制限されるものではない。
【００４６】
図４Ａ及び図４Ｂは薬液注入による、第１電極及び第２電極のセンシング原理を概略的に示した概念図である。説明の便宜のために、図４Ａでのピストン１４２の位置を第１位置とし、図４Ｂでのピストン１４２の位置を第２位置とする。
【００４７】
図４Ａを参照すれば、ピストン１４２の第１位置において、第１電極２１１と第２電極２１２との間には、空気、ピストン１４２及び薬液が位置し、実質的には、第１電極２１１と第２電極２１２とのキャパシタンスに影響を及ぼす要素は、薬液である。すなわち、第１電極２１１と第２電極２１２とのキャパシタンスＣは、以下の数式のように、薬液の誘電率εＬ、並びに薬液を挟んで対向する第１電極２１１及び第２電極２１２の面積Ａによって決定され、第１電極２１１及び第２電極２１２の幅Ｗ、並びにそれら間の距離ｄが一定であるので、面積Ａは、長さＬｏによって決定される。
【００４８】
【数１】
2019528934.tif 000003
【００４９】
すなわち、キャパシタンスＣは、誘電率εＬ、並びに薬液を挟んで対向する第１電極２１１及び第２電極２１２の長さＬｏに比例する。薬液の誘電率εＬは、一定値を有するので、キャパシタンスＣは、薬液を挟んで対向する第１電極２１１及び第２電極２１２の長さＬｏに依存する。
【００５０】
同様に、図４Ｂのように、ピストン１４２の第２位置において、第１電極２１１と第２電極２１２とのキャパシタンスＣ’は、薬液を挟んで対向する第１電極２１１及び第２電極２１２の長さＬｏ’に依存する。
【００５１】
回路部１９０は、キャパシタンスの変化により、薬液の高さ差（Ｌｏ−Ｌｏ’）、すなわち、ピストン１４２の移動距離である変位情報を算出する。薬液吐出により、薬液と重畳されたまま、互いに対向する第１電極２１１の長さＬｏ、及び第２電極２１２の長さＬｏ’が異なることになったので、同一パルス信号が印加されるとしても、それによるパルス応答信号差が発生し、それを介して、薬液の高さ差（Ｌｏ−Ｌｏ’；またはピストン１４２の変位）を算出することができる。
【００５２】
一部実施形態において、第１電極２１１及び第２電極２１２は、それぞれ回路部１９０に電気的に連結される。例えば、第１電極２１１は、グラウンドであり、第２電極２１２は、回路部１９０によってパルス信号が印加される。前述のように、薬液吐出により、第１電極２１１及び第２電極２１２のキャパシタンス変化が引き起こされるので、回路部１９０は、パルス応答信号を基に、薬液の高さ差（または、ピストン１４２の変位）、及び薬液の実際吐出量を算出することができ、それを基に、薬液の吐出を制御することができる。
【００５３】
図５は、本発明の実施形態による薬液吐出装置において、第１ケースを省略して示した斜視図であり、図６は、図５において、第２ケース、薬液保存部、インナケース及び回路部を抜粋して示した分解斜視図であり、図７は、図５のVII−VII線による断面を示す。
【００５４】
図５ないし図７を参照すれば、第１電極２１１及び第２電極２１２が外側に配置された薬液保存部１４０は、第２ケース１２０の一側に配置され、第２ケース１２０の他側には、他の構成、例えば、回路部１９０、インナフレーム１７０、ボタン部１３０、第１チューブＴＵ１及び第２チューブＴＵ２により、薬液保存部１４０及び針部１６０（図１）と連結されたポンプ１５０は、互いに重畳されるようにも配置される。
【００５５】
図６に図示されているように、薬液保存部１４０は、互いに対向するように配置された第２ケース１２０に配置された第１リブ１２１、及びインナフレーム１７０の第２リブ１７１により、その位置が規制される。例えば、第２ケース１２０の第１リブ１２１は、薬液保存部１４０の一側下端部に配置され、インナフレーム１７０の第２リブ１７１は、薬液保存部１４０の他側上端部に配置され、第２ケース１２０の第１リブ１２１は、第１電極２１１と接し、インナフレーム１７０の第２リブ１７１は、第２電極２１２と接することができる。インナフレーム１７０と第１ケース１１０との間には、スプリングのような弾性部材１７７（図５及び図７）が介在され、薬液保存装置の振動のような状況時、第１ケース１１０内及び第２ケース１２０内において、インナフレーム１７０の破損を防止することができる。
【００５６】
第１電極２１１は、回路部１９０と電気的に連結される。例えば、第１電極２１１は、第２ケース１２０を媒介にして、回路部１９０とも電気的に連結される。一実施形態において、第１電極２１１は、第１電極２１１及び第２ケース１２０の間でそれらと接触する第１導電性部材２２１により、第２ケース１２０と連結され、第２ケース１２０は、第２ケース１２０及び回路部１９０の間でそれらと接触する第２導電性部材２２２により、回路部１９０と連結され、そのとき、第２ケース１２０は、導電性素材を含んでもよい。すなわち、第１電極２１１は、第１導電性部材２２１及び第２導電性部材２２２により、第２ケース１２０を媒介として、回路部１９０とも電気的に連結される。第１導電性部材２２１及び第２導電性部材２２２は、導電性ペーストであってもよく、導電性両面テープであってもよい。
【００５７】
図６及び図７においては、第１導電性部材２２１及び第２導電性部材２２２により、第１電極２１１と回路部１９０とが連結された構造を開示したが、他の実施形態において、第１電極２１１と回路部１９０は、１つの導電性部材によっても連結され、そのとき、１つの導電性部材は、前述の導電性ペースト、導電性両面テープまたは電線などを使用することができる。
【００５８】
第２電極２１２は、図６及び図７に図示されているように、第３導電性部材２２３によっても回路部１９０に連結される。第３導電性部材２２３の端部２２３ａは、回路部１９０に直接接触することができる。第３導電性部材２２３は、第２電極２１２が配置された薬液保存部１４０の外側面に沿ってカーブした形状を有することができ、隣接する第２リブ１７１間にも配置される。
【００５９】
第３導電性部材２２３は、インナフレーム１７０によっても位置が規制される。例えば、第３導電性部材２２３は、インナフレーム１７０に形成された溝部１７２に一部収容される。溝部１７２は、隣接する第２リブ１７１間にも配置される。
【００６０】
第３導電性部材２２３は、他の構成（例えば、ポンプ、バッテリ、チューブなど）による位置離脱を防止するように、溝部１７２と対応する隔壁１７５によってもカバーされる。第３導電性部材２２３は、第２電極２１２と隔壁１７５との間で、隔壁１７５によって保護され、同時に加圧され、第２電極２１２との接触を安定して維持することができる。
【００６１】
そのように、本発明は図面に図示された一実施形態を参照して説明したが、それらは、例示的なものに過ぎず、当該分野において当業者であるならば、それらから多様な変形、及び実施形態の変形が可能であるという点を理解するであろう。従って、本発明の真の技術的保護範囲は、特許請求の範囲の技術的思想によって決められるものである。
【図１】
2019528934.tif 000004
【図２】
2019528934.tif 000005
【図３】
2019528934.tif 000006
【図４ａ】
2019528934.tif 000007
【図４ｂ】
2019528934.tif 000008
【図５】
2019528934.tif 000009
【図６】
2019528934.tif 000010
【図７】
2019528934.tif 000011
【国際調査報告】
2019528934.tif 000012
2019528934.tif 000013
2019528934.tif 000014
2019528934.tif 000015
2019528934.tif 000016
2019528934.tif 000017
2019528934.tif 000018
2019528934.tif 000019
2019528934.tif 000020
2019528934.tif 000021
2019528934.tif 000022
2019528934.tif 000023
2019528934.tif 000024
2019528934.tif 000025
2019528934.tif 000026
2019528934.tif 000027
2019528934.tif 000028
2019528934.tif 000029